【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
第１の電力状態と、前記第１の電力状態より消費電力が少ない第２の電力状態とを有する情報処理装置であって、
前記情報処理装置の周りにいる人を感知するセンサと、
前記センサから出力された出力値と閾値との比較の結果に基づいて、前記情報処理装置を前記第２の電力状態から前記第１の電力状態へ移行させる電力制御手段と、
前記センサから出力される前記出力値が、所定時間、前記閾値を下回り続けていることに基づいて、前記閾値を変更する制御手段と、
を備えることを特徴とする情報処理装置。
【請求項２】
前記制御手段は、前記センサから出力される前記出力値が前記閾値を下回っている状態が、前記所定時間、継続すると、前記閾値を低くすることを特徴とする請求項１に記載の情報処理装置。
【請求項３】
前記制御手段は、前記センサから出力される前記出力値が前記閾値を下回っている間に、前記情報処理装置を前記第１の電力状態から前記第２の電力状態へ変更する操作がユーザによって行われると、前記センサから出力される前記出力値が前記閾値を下回らなくなるように、前記閾値を変更することを特徴とする請求項１又は２に記載の情報処理装置。
【請求項４】
前記センサから出力される前記出力値と前記閾値とを比較することによって、人をユーザとして検出する検出手段を更に備え、
前記制御手段は、前記検出手段によって前記人が前記ユーザとして検出されなくなるように、前記閾値を変更する
ことを特徴とする請求項１から３のいずれか１項に記載の情報処理装置。
【請求項５】
前記検出手段は、前記出力値が前記閾値を下回っている状態が、前記所定時間、継続すると、前記人を前記ユーザとして検出し、
前記制御手段は、前記閾値を、前記センサから直前に出力された出力値よりも小さい値に変更する
ことを特徴とする請求項４に記載の情報処理装置。
【請求項６】
前記検出手段は、前記出力値が、第１の閾値を下回ることに基づいて、前記情報処理装置の周辺に人が存在すると判定し、前記出力値が、前記第１の閾値よりも小さい第２の閾値を下回ることに基づいて、前記人が前記ユーザであると判定することを特徴とする請求項４又は５に記載の情報処理装置。
【請求項７】
前記電力制御手段は、前記情報処理装置が前記第１の電力状態に設定されている間に前記検出手段によって前記人が検出されなくなると、前記情報処理装置を前記第１の電力状態から前記第２の電力状態へ変更することを特徴とする請求項４から６のいずれか１項に記載の情報処理装置。
【請求項８】
第１の電力状態と、前記第１の電力状態より消費電力が少ない第２の電力状態とを有し、情報処理装置の周りにいる人を感知するセンサを備える、前記情報処理装置の制御方法であって、
前記センサから出力された出力値と閾値との比較の結果に基づいて、前記情報処理装置を前記第２の電力状態から前記第１の電力状態へ移行させる電力制御工程と、
前記センサから出力される前記出力値が、所定時間、前記閾値を下回り続けていることに基づいて、前記閾値を変更する制御工程と、
を含むことを特徴とする情報処理装置の制御方法。
【請求項９】
前記制御工程では、前記センサから出力される前記出力値が前記閾値を下回っている状態が、前記所定時間、継続すると、前記閾値を低くすることを特徴とする請求項８に記載の情報処理装置の制御方法。
【請求項１０】
前記制御工程では、前記センサから出力される前記出力値が前記閾値を下回っている間に、前記情報処理装置を前記第１の電力状態から前記第２の電力状態へ変更する操作がユーザによって行われると、前記センサから出力される前記出力値が前記閾値を下回らなくなるように、前記閾値を変更することを特徴とする請求項８又は９に記載の情報処理装置の制御方法。
【請求項１１】
前記センサから出力される前記出力値と前記閾値とを比較することによって、人をユーザとして検出する検出工程を更に含み、
前記制御工程では、前記検出工程において前記人が前記ユーザとして検出されなくなるように、前記閾値を変更する
ことを特徴とする請求項８から１０のいずれか１項に記載の情報処理装置の制御方法。
【請求項１２】
前記検出工程では、前記出力値が前記閾値を下回っている状態が、前記所定時間、継続すると、前記人を前記ユーザとして検出し、
前記制御工程では、前記閾値を、前記センサから直前に出力された出力値よりも小さい値に変更する
ことを特徴とする請求項１１に記載の情報処理装置の制御方法。
【請求項１３】
前記検出工程では、前記出力値が、第１の閾値を下回ることに基づいて、前記情報処理装置の周辺に人が存在すると判定し、前記出力値が、前記第１の閾値よりも小さい第２の閾値を下回ることに基づいて、前記人が前記ユーザであると判定することを特徴とする請求項１１又は１２に記載の情報処理装置の制御方法。
【請求項１４】
前記電力制御工程では、前記情報処理装置が前記第１の電力状態に設定されている間に前記検出工程において前記人が検出されなくなると、前記情報処理装置を前記第１の電力状態から前記第２の電力状態へ変更することを特徴とする請求項１１から１３のいずれか１項に記載の情報処理装置の制御方法。
【請求項１５】
請求項８から１４のいずれか１項に記載の情報処理装置の制御方法の各工程をコンピュータに実行させるためのプログラム。
【手続補正２】
【補正対象書類名】明細書
【補正対象項目名】発明の名称
【補正方法】変更
【補正の内容】
【発明の名称】情報処理装置及びその制御方法、並びにプログラム
【手続補正３】
【補正対象書類名】明細書
【補正対象項目名】０００７
【補正方法】変更
【補正の内容】
【０００７】
本発明は、例えば、情報処理装置として実現できる。本発明の一態様に係る情報処理装置は、第１の電力状態と、前記第１の電力状態より消費電力が少ない第２の電力状態とを有する情報処理装置であって、前記情報処理装置の周りにいる人を感知するセンサと、前記センサから出力された出力値と閾値との比較の結果に基づいて、前記情報処理装置を前記第２の電力状態から前記第１の電力状態へ移行させる電力制御手段と、前記センサから出力される前記出力値が、所定時間、前記閾値を下回り続けていることに基づいて、前記閾値を変更する制御手段と、を備えることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】００１０
【補正方法】変更
【補正の内容】
【００１０】
【図１】画像形成装置１０の外観を示す側面図及び上面図。
【図２】画像形成装置１０のハードウェア構成例を示すブロック図。
【図３】人感センサ１６による検出状態の遷移の一例を示す状態遷移図
【図４】人感センサ１６による検出状態についての判定処理の手順を示すフローチャート。
【図５】物体検出判定処理（Ｓ４０２）の手順を示すフローチャート。
【図６】ユーザ検出判定処理（Ｓ４０６）の手順を示すフローチャート。
【図７】物体非検出判定処理（Ｓ４０３）の手順を示すフローチャート。
【図８】ユーザ非検出判定処理（Ｓ４０５）の手順を示すフローチャート。
【図９】人感センサ１６による検出状態と画像形成装置の電力モードとの関係の第１の例を示す図。
【図１０】人感センサ１６による検出状態と画像形成装置の電力モードとの関係の第２の例を示す図。
【図１１】人感センサ１６による検出状態と画像形成装置の電力モードとの関係の第３の例を示す図。
【手続補正６】
【補正対象書類名】明細書
【補正対象項目名】００３８
【補正方法】変更
【補正の内容】
【００３８】
＜ユーザ検出判定処理（Ｓ４０５）＞
図６は、ユーザ検出判定処理（Ｓ４０５）の手順を示すフローチャートである。ユーザ検出判定処理は、図５に示す物体検出判定処理と同様のアルゴリズムによって実現される。ただし、Ｓ４１４に対応するＳ４２４では、検出状態が物体検出状態ではなくユーザ検出状態に設定され、Ｓ４１０に対応するＳ４２０では、Ｔｈdetよりも小さいＴｈdet_sが所定の閾値として用いられる。
【手続補正７】
【補正対象書類名】明細書
【補正対象項目名】００３９
【補正方法】変更
【補正の内容】
【００３９】
ユーザ検出判定処理では、まずＳ４２０で、ＣＰＵ１３１は、人感センサ１６を用いて得られた距離の測定値Ｄが所定の閾値（Ｔｈdet_s）未満であるか否かを判定する。測定値Ｄが所定の閾値（Ｔｈdet_s）以上である場合（Ｓ４２０で「ＮＯ」）、ＣＰＵ１３１は、Ｓ４２５で検出カウンタをクリアして、処理を終了する。一方、測定値Ｄが所定の閾値（Ｔｈdet_s）未満である（即ち、閾値を下回っている）場合（Ｓ４２０で「ＹＥＳ」）、ＣＰＵ１３１は、Ｓ４２１で検出カウンタをインクリメントして、処理をＳ４２２に進める。
【手続補正８】
【補正対象書類名】明細書
【補正対象項目名】００４５
【補正方法】変更
【補正の内容】
【００４５】
Ｓ４４２で、ＣＰＵ１３１は、非検出カウンタのカウント値が所定の閾値（Ｔｈucnt）よりも大きいか否か判定する。カウント値が所定の閾値（Ｔｈucnt）以下である場合（Ｓ４４２で「ＮＯ」）、ＣＰＵ１３１は、処理を終了する。一方、カウント値が所定の閾値（Ｔｈucnt）よりも大きい場合（Ｓ４４２で「ＹＥＳ」）、ＣＰＵ１３１は、処理をＳ４４３に進める。ＣＰＵ１３１は、Ｓ４４３で非検出カウンタをクリアした後、Ｓ４４４で、（次の時間フレームで用いる）人感センサ１６による検出状態を、非検出状態に設定（変更）する。その後、ＣＰＵ１３１は、ユーザ非検出判定処理を終了する。